(57)【特許請求の範囲】
【請求項１】
払込票の枚数の入力を受付ける枚数受付手段と、
払込票に付された払込コードの入力を受付ける払込コード受付手段と、
前記払込コード受付手段が受付けた前記払込コードに基づいて、前記払込票の払込金額と払込先の情報とを含む払込情報を読み込む払込情報読込手段と、
前記払込情報読込手段が読み込んだ前記払込金額の入金登録を行う入金登録手段と、
前記入金登録の中止を受付ける中止受付手段と、
前記中止受付手段が前記中止を受付けると、前記払込情報と、当該払込情報に係る入金登録の中止が発生したことを示す情報と、前記中止受付手段が前記入金登録の中止を受付けた払込票の枚数を示す情報と、を含む中止記録データを生成し、生成した中止記録データを情報処理装置に出力する記録データ出力手段と、
前記中止受付手段が前記中止を受付けると、払込業務の入力中止を受付けた旨と、前記中止受付手段が前記中止を受付けた払込票の枚数と、を客用表示器に表示出力する表示制御手段と、
を備える販売データ処理装置。
【請求項２】
前記表示制御手段は、レシートとともに払込票の受領証を受け取るよう客に促すガイダンスメッセージと、レシートのイラストと、受領証のイラストとを表示した画面を、前記客用表示器に表示出力する、請求項１に記載の販売データ処理装置。
【請求項３】
前記記録データ出力手段は、前記中止受付手段が前記入金登録の中止を受付けた日時と、前記入金登録の中止を受付けた販売データ処理装置の識別情報および当該販売データ処理装置の操作者の識別情報と、前記情報読込手段が前記払込票から読み込んだ前記払込金額および前記払込先の情報を含めて前記中止記録データを生成する、請求項１または２に記載の販売データ処理装置。
【請求項４】
販売データ処理装置を制御するコンピュータを、
払込票の枚数の入力を受付ける枚数受付手段と、
払込票に付された払込コードの入力を受付ける払込コード受付手段と、
前記払込コード受付手段が受付けた前記払込コードに基づいて、前記払込票の払込金額と払込先の情報とを含む払込情報を読み込む払込情報読込手段と、
前記払込情報読込手段が読み込んだ前記払込金額の入金登録を行う入金登録手段と、
前記入金登録の中止を受付ける中止受付手段と、
前記中止受付手段が前記中止を受付けると、前記払込情報と、当該払込情報に係る入金登録の中止が発生したことを示す情報と、前記中止受付手段が前記入金登録の中止を受付けた払込票の枚数を示す情報と、を含む中止記録データを生成し、生成した中止記録データを情報処理装置に出力する記録データ出力手段と、
前記中止受付手段が前記中止を受付けると、払込業務の入力中止を受付けた旨と、前記中止受付手段が前記中止を受付けた払込票の枚数と、を客用表示器に表示出力する表示制御手段と、
して機能させるためのプログラム。
【発明の詳細な説明】
【技術分野】
【０００１】
本発明の実施形態は、販売データ処理装置およびプログラムに関する。
【背景技術】
【０００２】
従来、公共料金や税金、通信販売等の支払いの受付を、コンビニエンスストア等の代行業者が行う収納代行サービスがある。例えばコードシンボル付の払込取扱票（払込票）が用いられる場合、ＰＯＳ端末はスキャナがコードシンボルから読み取った払込先名称や口座番号、払込金額等の情報入力を受付ける。そして、店員は客から払込金額を受領するとＰＯＳ端末にて精算処理を行い、プリンタから受領伝票（レシート）を発行して、店舗印を押した払込受領証とともに客に手渡す。
【０００３】
このような収納代行業務において、店員が客から受け取った払込金を着服した事例が発生している。即ち具体例としては、客から払込金を受け取った店員が入金登録処理を完了させずに、客には店舗印を押した払込受領証を手渡して払込受付が完了したように見せかけた。そして客がレジカウンタから離れた後に店員は入金登録処理を中止し、入金登録処理が客都合でキャンセルされたように見せかけて払込金を着服するという事例があった。
【０００４】
このような不正着服を防止するため、プリンタから客用の控伝票（レシート）を発行して入金登録が的確に為されたことを証明するＰＯＳ端末に関する技術も開示されている。しかしながら客は、払込受領証を受け取っていれば控伝票を確認しない場合が多いので、客側が不正に気付くのは難しいといった現状がある。そこで従来、払込金の不正着服を発覚しやすくできるＰＯＳ端末の開発が望まれていた。
【発明の概要】
【発明が解決しようとする課題】
【０００５】
本発明が解決しようとする課題は、払込金の不正着服を発覚しやすくできる販売データ処理装置およびプログラムを提供することである。
【課題を解決するための手段】
【０００６】
実施形態の販売データ処理装置は、払込票の枚数の入力を受付ける枚数受付手段と、払込コード受付手段と、払込情報読込手段と、入金登録手段と、中止受付手段と、記録データ出力手段と、表示制御手段と、を備える。払込コード受付手段は、払込票に付された払込コードの入力を受付ける。払込情報読込手段は、前記払込コード受付手段が受付けた前記払込コードに基づいて、前記払込票の払込金額と払込先の情報とを含む払込情報を読み込む。入金登録手段は、前記払込情報読込手段が読み込んだ前記払込金額の入金登録を行う。中止受付手段は、前記入金登録の中止を受付ける。記録データ出力手段は、前記中止受付手段が前記中止を受付けると、前記払込情報と、当該払込情報に係る入金登録の中止が発生したことを示す情報と、前記中止受付手段が前記入金登録の中止を受付けた払込票の枚数を示す情報と、を含む中止記録データを生成し、生成した中止記録データを情報処理装置に出力する。表示制御手段は、前記中止受付手段が前記中止を受付けると、払込業務の入力中止を受付けた旨と、前記中止受付手段が前記中止を受付けた払込票の枚数と、を客用表示器に表示出力する。
【図面の簡単な説明】
【０００７】
【図１】図１は、本実施形態に係る店舗システムの概略構成図である。
【図２】図２は、店舗サーバのハードウェア構成を示すブロック図である。
【図３】図３は、ＰＯＳ端末の機能構成を示すブロック図である。
【図４】図４は、ＰＯＳ端末が実行する収納代行業務の手順例を示すフローチャートである。
【図５】図５は、業務選択画面の画面構成例を示す図である。
【図６】図６は、枚数入力画面の画面構成例を示す図である。
【図７】図７は、ガイダンス画面の画面構成例を示す図である。
【図８】図８は、払込明細画面の画面構成例を示す図である。
【図９】図９は、入力中止時のトランデータのデータ構成例を示した説明図である。
【図１０】図１０は、承認画面の画面構成例を示す図である。
【図１１】図１１は、通知メッセージの表示例を示す図である。
【図１２】図１２は、店員用表示器に表示される登録画面の一例を示す図である。
【図１３】図１３は、客用表示器に表示される受取画面の一例を示す図である。
【図１４】図１４は、入力中止した払込票の枚数を表示した登録画面例を示す図である。
【図１５】図１５は、入力中止した払込票の枚数を表示した受取画面例を示す図である。
【発明を実施するための形態】
【０００８】
図１は、本実施形態に係る店舗システム１００の概略構成図である。ＰＯＳ端末１は、店舗における売上データを登録する販売データ処理装置である。尚、店舗において用いられるＰＯＳ端末１の台数は特に限定されない。また、以下では、複数の図面に示される同様の構成について同一符号を付して示し、重複する説明を省略する場合がある。
【０００９】
店舗サーバ４は、店舗内のＰＯＳ端末１とＬＡＮ（Local  Area  Network）３等のネットワークで接続されている。店舗サーバ４は、ＰＯＳ端末１から出力されたデータに基づき、店舗における売上管理、在庫管理、発注管理、業務記録の管理等を行う。
【００１０】
次に、店舗サーバ４について説明する。図２は、店舗サーバ４のハードウェア構成を示すブロック図である。店舗サーバ４は、ＣＰＵ、ＲＯＭ、ＲＡＭ等で構成されるコンピュータ構成の制御部４１を備えている。また、制御部４１にはバス４２及びＩ／Ｏ機器制御部４４を介して、キーボード４５、表示器４６、プリンタ４７及びＨＤＤ（Hard  Disk  Drive）４８が接続されている。また、制御部４１は、通信Ｉ／Ｆ（Interface）４３１及びＬＡＮ３を介してＰＯＳ端末１との間でデータ通信を行う。
【００１１】
ＨＤＤ４８には、制御部４１のＣＰＵを動作させる各種制御プログラムの他、トラン格納部４８１等の各種データファイルを格納している。トラン格納部４８１は、店舗内の各ＰＯＳ端末１が送信したトランザクションデータ（以降ではトランデータと称する）を格納するためのメモリ領域である。
【００１２】
トラン格納部４８１には、各ＰＯＳ端末１における売上登録や、入金登録、出金登録、収納代行にかかる入金登録等の業務内容を時系列で記録したトランデータが、各業務内容を識別可能にして格納される。収納代行の入金登録に関するトランデータについては、図９を用いて後述する。
【００１３】
次に、ＰＯＳ端末１について説明する。図３は、ＰＯＳ端末１の機能構成を示すブロック図である。ＰＯＳ端末１は、ＣＰＵ、ＲＯＭ、ＲＡＭ等で構成されるコンピュータ構成の制御部１１を備えている。また、制御部１１にはバス１２及びＩ／Ｏ機器制御部１４を介して、キーボード１５、スキャナ１６、店員用表示器１７、客用表示器１８、プリンタ１９、ドロワ２０及びＨＤＤ６０が接続されている。また、店員用表示器１７および客用表示器１８の表示画面上には、タッチパネル１７１、１８１がそれぞれ積層されている。
【００１４】
制御部１１は、通信Ｉ／Ｆ１３及びＬＡＮ３等を介して店舗サーバ４との間でデータ通信を行う。ＨＤＤ６０は、制御部１１のＣＰＵを動作させる各種制御プログラムや、商品マスタ（不図示）、払込マスタ６１および売上ファイル６２等を格納している。払込マスタ６１は、払込コードと払込情報とを対応付けて記憶しているマスタファイルである。払込情報とは、払込取扱票（以降では単に払込票という）に一般的に記載されている払込に関する情報である。例えば払込情報としては、払込先の名称および口座番号、払込金額、手数料、払込期限、支払人に係る情報などが用いられる。
【００１５】
尚、払込マスタ６１の格納場所は特に限定されない。店舗サーバ４等の上位サーバが有する形態とし、ＰＯＳ端末１が当該サーバから払込情報を読み込んでもよい。
【００１６】
次に、本実施形態に係るプログラムについて説明する。本実施形態のＰＯＳ端末１で実行されるプログラムは、図３に示すように、表示制御部５１、入力受付部５２、登録部５３、トラン出力部５４を含むモジュール構成となっている。実際のハードウェアとしてはＣＰＵ（プロセッサ）が記憶媒体から本実施形態のプログラムを読み出して実行することにより上記各部が主記憶装置上にロードされ、表示制御部５１、入力受付部５２、登録部５３、トラン出力部５４が主記憶装置上に生成される。
【００１７】
なお、本実施形態のＰＯＳ端末１で実行されるプログラムは、ＲＯＭ或いはＨＤＤ６０等に予め組み込まれて提供される。本実施形態のＰＯＳ端末１で実行されるプログラムは、インストール可能な形式又は実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録して提供するように構成してもよい。
【００１８】
さらに、本実施形態のＰＯＳ端末１で実行されるプログラムを、インターネット等のネットワークに接続されたコンピュータ上に格納し、ネットワーク経由でダウンロードさせることにより提供するように構成しても良い。また、本実施形態のＰＯＳ端末１で実行されるプログラムをインターネット等のネットワーク経由で提供または配布するように構成しても良い。
【００１９】
表示制御部５１は、店員用表示器１７、客用表示器１８における表示動作全般を制御する。店員用表示器１７、客用表示器１８に表示される各種画面の画面構成例については図とともに後述する。
【００２０】
入力受付部５２は、キーボード１５、スキャナ１６、タッチパネル１７１、１８１等に対する入力操作に応じて各種指示操作や各種情報の入力を受付ける。
【００２１】
例えばスキャナ１６が払込票に付されたコードシンボルから払込コードを読み取る。すると入力受付部５２は、当該払込コードに対応する払込情報を払込マスタ６１から読み込んで受付ける。
【００２２】
登録部５３は、収納代行業務にて受付けた払込情報および預り金を売上ファイル６２に登録する。尚、収納代行業務に係る登録データは、一般商品の売上登録とは分けて、売上ファイル６２以外のファイルを設け、当該ファイルに分けて格納してもよい。
【００２３】
トラン出力部５４は、商品の売上登録や、入金登録、出金登録、収納代行業務等、各種業務の明細を記録したトランザクションデータ（トランデータ）を生成し、店舗サーバ４に出力する。トランデータは、取引明細を時系列に記録するためのデータ（記録データ）であり、取引データ、明細データと呼ばれることもある。
【００２４】
トラン出力部５４は、収納代行業務において入金登録処理中にその処理が中止されると、入金登録の中止が発生したことを記録したトランデータ（中止記録データ）を生成する。そして、トラン出力部５４は、生成したトランデータを店舗サーバ４に出力する。尚、出力先のサーバは店舗サーバ４に限定されず、その他の上位サーバや、不正監視用の情報処理端末などに出力してもよい。例えば、タブレット端末など携帯型電子機器を不正監視用の情報処理端末として用いてもよい。
【００２５】
次に、ＰＯＳ端末１が実行する収納代行業務の手順例について図４を用いて説明する。図４は、ＰＯＳ端末１が実行する収納代行業務の手順例を示すフローチャートである。
【００２６】
まず、表示制御部５１は店員用表示器１７に業務選択画面７１（図５参照）を表示する。業務選択画面７１を表示させるには、例えば登録画面やキーボード１５上に業務選択画面７１に移行するためのアイコンやキーを設けて置く。そして、入力受付部５２がキーボード１５またはタッチパネル１７１における入力操作を受付けた際に、表示制御部５１が業務選択画面７１を店員用表示器１７に表示すればよい。
【００２７】
図５は、業務選択画面７１の画面構成例を示す図である。図５に示すように、業務選択画面７１には、収納代行業務を開始するための選択キー７１１が設けられている。入力受付部５２が収納代行業務の選択キー７１１のタッチ操作を受付ける（ステップＳ１）と、表示制御部５１は枚数入力画面７２（図６参照）を表示する。
【００２８】
図６は、枚数入力画面７２の画面構成例を示す図である。図６に示すように、枚数入力画面７２には払込票の受付枚数を入力するためのテンキーが設けられている。入力受付部５２がテンキーを介して払込票の受付枚数の入力を受付ける（ステップＳ２）と、表示制御部５１はガイダンス画面７３（図７参照）を表示する。
【００２９】
図７は、ガイダンス画面７３の画面構成例を示す図である。図７に示すように、ガイダンス画面７３には、払込票に付されたバーコード（払込コード）をスキャナ１６で読み取る旨を指示するガイダンスと、操作イメージとが表示されている。スキャナ１６が払込コードを読み取ると（ステップＳ３）、登録部５３は読み取られた払込コードを用いて、払込マスタ６１（図３参照）に払込情報を問い合わせる。そして、表示制御部５１は払込マスタ６１から読み込まれた払込先名称、口座番号、金額等の払込に関する払込情報を、払込明細画面７４（図８参照）に表示する（ステップＳ４）。
【００３０】
図８は、払込明細画面７４の画面構成例を示す図である。払込明細画面７４には、払込先名称、口座番号、金額等の払込に関する払込情報が表示される。加えて、払込明細画面７４には、枚数入力画面７２（図６参照）から入力された払込票の受付枚数７４１が表示される。また、払込明細画面７４には、スキャナ１６による払込コードの読取により受付済みとなった払込票の枚数７４２が表示される。また、払込明細画面７４には、入力中止アイコン７４３と、受付終了アイコン７４４が設けられている。
【００３１】
入力中止アイコン７４３は、払込票にかかる入金登録処理を中止する指示を受付けるためのアイコンである。受付終了アイコン７４４は、払込票の読込処理、即ち、スキャナ１６を用いて払込コードを読み込む処理を終了し、次に行う精算処理に処理を進めるためのアイコンである。
【００３２】
入力受付部５２が入力中止アイコン７４３の選択操作を受付けると（ステップＳ５：Ｙｅｓ）、登録部５３は読み込まれた払込情報をクリアする。そして、登録部５３は、払込金額の入金登録や、精算処理、払込情報の登録または送信等の処理を行わずに、入金登録処理を終了する。また、トラン出力部５４は、上述のように受付けた払込情報と、当該払込情報の入金登録処理が中止された旨を示す情報とを含めてトランデータを生成する。そしてトラン出力部５４は、生成したトランデータを店舗サーバ４に出力する。
【００３３】
図９は、入力中止時に生成されるトランデータのデータ構成例を示した説明図である。入力中止操作を受付けると、トラン出力部５４は入力中止操作を受付けた日時（中止日時）、入力中止操作を受付けたＰＯＳ端末１のレジ番号（即ち、ＰＯＳ端末１の識別情報）、入力中止操作を受付けた際にログインしていた操作者の識別情報である操作者情報、払込票を受付けた枚数（ステップＳ２で入力された枚数）を含めてトランデータを生成する。
【００３４】
加えてトラン出力部５４は、払込コードに基づいて払込マスタ６１から読み込んだ払込先情報として、払込先の名称や、口座情報、払込金額等の情報を含めてトランデータを生成する。そして、トラン出力部５４は生成したトランデータを、ＬＡＮ３を介して店舗サーバ４に出力する（ステップＳ６）。店舗サーバ４は受信したトランデータをＨＤＤ４８のトラン格納部４８１に記録する。
【００３５】
尚、枚数入力画面７２（図６参照）から受付けた払込票枚数が複数枚である場合、入力受付部５２は全ての払込票分の入金登録をまとめて中止する。即ち、登録部５３は全ての払込票分の払込情報をまとめてクリアする。そしてトラン出力部５４は、中止された払込票枚数と、それぞれの払込票分の払込先情報（名称、口座情報、払込金額）とをトランデータに含めて出力する。なお、トラン出力部５４は、キャンセルされた合計金額を算出し、算出した合計金額をトランデータに含めて出力してもよい。
【００３６】
なお、枚数入力画面７２から受付けた払込票枚数が複数枚である場合に、入力受付部５２はいずれの払込票について入力中止するかを受付けてもよい。この場合に登録部５３は、入力中止の対象とされた払込票分の払込情報をクリアすればよい。そして、トラン出力部５４は、入力中止した払込票枚数と、入力中止の対象とされた払込票分の払込先情報とをトランデータに含めて出力すればよい。
【００３７】
一方、払込明細画面７４（図８参照）において入力中止アイコン７４３の選択操作を受付けなければ（ステップＳ５：Ｎｏ）、ステップＳ７に移行する。そして、受付終了アイコン７４４（図８参照）の選択操作を受付けなければ（ステップＳ７：Ｎｏ）、ステップＳ３に戻る。受付終了アイコン７４４の選択操作を受付けると（ステップＳ７：Ｙｅｓ）、登録部５３は払込票の受付枚数が適正か否かを判定する（ステップＳ８）。
【００３８】
ステップＳ２で受付けた枚数と、ステップＳ３で払込コードを読み込むことによって払込処理を受付けた払込票の枚数とが合致していれば、払込票の処理枚数は適正である（ステップＳ８：Ｙｅｓ）。従って受付枚数分のすべての払込票の読取処理が終了したこととなるので、ステップＳ１０に進む。払込コードの読取枚数が受付枚数に達していなければ、受付枚数分のすべての払込票の読取処理は終了していない（ステップＳ８：Ｎｏ）。この場合、表示制御部５１は店員用表示器１７にエラーメッセージを表示し（ステップＳ９）、ステップＳ３に戻る。
【００３９】
ステップＳ８：Ｙｅｓであれば、表示制御部５１は客用表示器１８に承認画面８１（図１０参照）を表示する（ステップＳ１０）。図１０は、承認画面８１の画面構成例を示す図である。承認画面８１には、収納代行を申し込む客に対して、受付内容の明細を表示し、当該受付内容について確認を求めるメッセージが表示される。また、承認画面８１には確認アイコン８１１が設けられている。
【００４０】
尚、承認画面８１を客用表示器１８に表示させる一方で、表示制御部５１は店員用表示器１７に通知メッセージ７５（図１１参照）を表示する。図１１は、通知メッセージ７５の表示例を示す図である。通知メッセージ７５には、客用表示器１８に承認画面８１が表示されている旨を店員に通知するためのメッセージが示される。また、通知メッセージ７５には、客に承認画面８１の表示内容の確認を促し、確認アイコン８１１を操作するよう促すメッセージが表示される。
【００４１】
そして、客用表示器１８の承認画面８１において確認アイコン８１１（図１０参照）が選択されると、入力受付部５２は客による承認操作を受付ける。そして表示制御部５１は、店員用表示器１７、客用表示器１８を図１２、図１３に示すような表示画面に切り替える（ステップＳ１１）。
【００４２】
図１２は、店員用表示器１７に表示される登録画面７６の一例を示す図である。表示制御部５１は店員用表示器１７において通知メッセージ７５（図１１参照）の表示を終了し、受付内容を反映した登録画面７６を図１２に示すように表示する。また、表示制御部５１は、登録画面７６の備考欄において、払込票にストアスタンプを押して客に渡すよう促すガイダンスメッセージおよびイラストを表示する。
【００４３】
図１３は、客用表示器１８に表示される受取画面８２の一例を示す図である。受取画面８２には、レシートとともに、払込票の受領証を受け取るよう客に促すガイダンスメッセージ８２１が示される。また、ストアスタンプの押された受領証のイラスト８２２とともに、店名、日時、担当者名、受付枚数等が記されたレシートのイラスト８２３が表示される。このようなイラスト８２２、８２３をガイダンスメッセージ８２１に添えることで、客に受領証とレシートの両方を受け取って確認するよう促すことができる。
【００４４】
以上のように本実施形態のＰＯＳ端末１は、入金登録の中止を受付けると入金登録業務が中止されたことを記録した中止記録データ（例えばトランデータ）を上位サーバ等の情報処理装置に出力する。これによりサーバの管理者は入金中止があったことを迅速に認識できる。そして、当該中止処理が顧客都合で行われたものか等につき、レジ担当者に問い合わせて速やかに状況を確認することができる。従って本実施形態によれば、払込金の不正着服を発覚しやすくできる販売データ処理装置およびプログラムを提供することができる。
【００４５】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【００４６】
例えば、ステップＳ１１で表示される登録画面７６（図１２参照）および受取画面８２（図１３参照）において、払込業務の入力中止を受付けた旨を表示してもよい。図１４は、入力中止した払込票の枚数７７１を表示した登録画面７７の一例を示す図である。また、図１５は、入力中止した払込票の枚数８３１を表示した受取画面８３の一例を示す図である。
【００４７】
図１４に示すように入力中止した払込票の枚数７７１を店員用表示器１７に表示することにより、ＰＯＳ端末１が入力中止を認識していることをオペレータに報知できる。これにより、ＰＯＳ端末１により監視されていることをオペレータに意識させることができるので、オペレータは安易に入力中止を行いにくくなる。これにより、払込金の不正着服防止を図ることができる。また、図１５に示すように入力中止した払込票の枚数８３１を客用表示器１８に表示することにより、払込処理に入力中止があった事実およびその中止枚数を客に報知できる。従って、客の意図しない入力中止があった場合に、店員の誤操作や不正を発覚しやすくすることができる。
【００４８】
また、上述では、ＰＯＳ端末１が払込コードに対応する払込情報を払込マスタ６１から読み込む例について説明したが、実施形態はこれに限定されない。桁数の多いコードを利用できる場合には、払込コード内に払込情報をエンコードして含ませておけばよい。そして、コードシンボルから直接、払込情報をデコードして受付ければよい。このような形態とすれば、払込マスタ６１への問合せを省略することができる。
【００４９】
また、上述では、入金登録の中止が発生した際にトランデータを生成し出力するとしたが、ＰＯＳ端末１は同様のタイミングで他の形式のデータを生成し、出力してもよい。例えば、ＰＯＳ端末１の制御部１１は入力中止の都度、通知用の表示データや印字データを生成し外部に出力してもよい。上位サーバまたは通知を受ける情報処理端末は、当該データを受信すると表示器に入力中止があったＰＯＳ番号をアラート表示したり印字出力したりしてもよい。
【符号の説明】
【００５０】
１…ＰＯＳ端末、４…店舗サーバ、１００…店舗システム、４８１…トラン格納部、１１…制御部、５１…表示制御部、５２…入力受付部、５３…登録部、５４…トラン出力部、６１…払込マスタ。
【先行技術文献】
【特許文献】
【００５１】
【特許文献１】特開２００２−２６０１０６号公報
【図１】
0006290768.tif 000002
【図２】
0006290768.tif 000003
【図３】
0006290768.tif 000004
【図４】
0006290768.tif 000005
【図５】
0006290768.tif 000006
【図６】
0006290768.tif 000007
【図７】
0006290768.tif 000008
【図８】
0006290768.tif 000009
【図９】
0006290768.tif 000010
【図１０】
0006290768.tif 000011
【図１１】
0006290768.tif 000012
【図１２】
0006290768.tif 000013
【図１３】
0006290768.tif 000014
【図１４】
0006290768.tif 000015
【図１５】
0006290768.tif 000016